(57)【特許請求の範囲】
【請求項１】
ユーザからの要求を受けて予約した楽曲を順次演奏するカラオケ装置と前記カラオケ装置に対する楽曲の予約をリクエストするための操作を実施可能なリモコン端末とを備え、前記カラオケ装置と前記リモコン端末とが通信可能に接続されるカラオケシステムであって、
前記カラオケ装置は、
前記リモコン端末との間で各種情報を送受信する装置側通信部と、
前記装置側通信部を制御して前記リモコン端末との間で各種情報を送受信させる装置側通信制御部と、を備え、
前記装置側通信部は、前記リモコン端末との間で各種情報を送受信するための通信経路が一種類以上予め搭載され、これら一種類以上の通信経路のうちの一つが前記リモコン端末との間での各種情報の送受信に用いられる通信経路として初期設定され、さらに、異なる種類の通信経路を追加可能となっており、新たな通信経路が追加された場合にはその追加された通信経路が前記リモコン端末との間での各種情報の送受信に用いられる通信経路として設定され、
前記装置側通信制御部は、前記装置側通信部に新たな通信経路が追加されたか否かを判断し、前記装置側通信部に新たな通信経路が追加された場合には、その追加された通信経路を用いて前記リモコン端末との間で各種情報の通信を行うよう前記装置側通信部を制御するとともに、新たな通信経路が追加された旨を前記リモコン端末に通知し、
一方、前記リモコン端末は、
前記カラオケ装置の前記装置側通信部に予め搭載される通信経路を含む複数種類の通信経路が予め搭載され、これら複数種類の通信経路のうちの一つが前記カラオケ装置との間での各種情報の送受信に用いられる通信経路として設定され、設定される通信経路を用いて前記カラオケ装置との間で各種情報を送受信する端末側通信部と、
前記端末側通信部が前記カラオケ装置との各種情報の送受信に用いる通信経路の優先順位を示し、初期状態では前記装置側通信部に初期設定される種類の通信経路が最も優先順位が高い通信経路として登録される優先順位リストを記憶するリスト記憶部と、
前記リスト記憶部が記憶する前記優先順位リストに登録される通信経路のうち最も優先順位が高い通信経路を前記優先順位リストが編集される度に選択し、前記端末側通信部を制御して、その選択された通信経路を用いて前記リモコン端末との間で各種情報を送受信させる端末側通信制御部と、
前記端末側通信部と前記カラオケ装置との間で各種情報を送受信する際に通信障害が発生しているか否かを判断する通信障害判断部と、
前記カラオケ装置からの新たな通信経路が追加された旨の通知を前記端末側通信部が受信した場合には、その新たに追加された通信経路を前記リスト記憶部が記憶する前記優先順位リストに最も優先順位が高い通信経路として登録するとともに、前記通信障害が発生していると前記通信障害判断部によって判断された場合には、前記通信障害が発生している通信経路を前記リスト記憶部が記憶する前記優先順位リストの最も優先順位が高い通信経路から除外するリスト編集部と、を備え、
前記端末側通信制御部は、前記リスト記憶部が記憶する前記優先順位リストに登録される通信経路のうち最も優先順位が高い通信経路が更新された場合には、その旨を前記端末側通信部を制御して前記カラオケ装置に通知し、
前記カラオケ装置の前記装置側通信制御部は、前記リモコン端末から通知された通信経路を用いて前記リモコン端末との間で各種情報の通信を行うよう前記装置側通信部を制御すること
を特徴とするカラオケシステム。
【請求項２】
請求項１に記載のカラオケシステムにおいて、
前記リスト編集部は、前記通信障害が発生していると前記通信障害判断部によって判断された場合には、前記リスト記憶部が記憶する前記優先順位リストに最も優先順位が高い通信経路として登録される、前記通信障害が発生している通信経路に代わり、前記通信障害が発生している通信経路の次に優先順位が高い通信経路を、最も優先順位が高い通信経路として登録することを特徴とするカラオケシステム。
【請求項３】
請求項１または請求項２の何れか１項に記載のカラオケシステムにおいて、
前記リスト編集部は、前記通信障害が発生していると前記通信障害判断部によって判断された場合には、前記通信障害が発生している通信経路を前記リスト記憶部が記憶する前記優先順位リストの最も優先順位が高い通信経路から削除することを特徴とするカラオケシステム。
【請求項４】
請求項１〜請求項３の何れか１項に記載のカラオケシステムにおいて、
前記リスト記憶部が記憶する前記優先順位リストに初期設定される通信経路が最も優先順位が高い通信経路として登録された場合に、システムリセットを実行するリセット実行手段を備えることを特徴とするカラオケシステム。
【請求項５】
ユーザからの要求を受けて予約した楽曲を順次演奏するカラオケ装置と前記カラオケ装置に対する楽曲の予約をリクエストするための操作を実施可能なリモコン端末とを備え、前記カラオケ装置と前記リモコン端末とが通信可能に接続されるカラオケシステムに用いられる前記カラオケ装置であって、
前記リモコン端末との間で各種情報を送受信する装置側通信部と、
前記装置側通信部を制御して前記リモコン端末との間で各種情報を送受信させる装置側通信制御部と、を備え、
前記装置側通信部は、前記リモコン端末との間で各種情報を送受信するための通信経路が一種類以上予め搭載され、これら一種類以上の通信経路のうちの一つが前記リモコン端末との間での各種情報の送受信に用いられる通信経路として初期設定され、さらに、異なる種類の通信経路を追加可能となっており、新たな通信経路が追加された場合にはその追加された通信経路が前記リモコン端末との間での各種情報の送受信に用いられる通信経路として設定され、
前記装置側通信制御部は、前記装置側通信部に新たな通信経路が追加されたか否かを判断し、前記装置側通信部に新たな通信経路が追加された場合には、その追加された通信経路を用いて前記リモコン端末との間で各種情報の通信を行うよう前記装置側通信部を制御するとともに、新たな通信経路が追加された旨を前記リモコン端末に通知し、
また、前記装置側通信制御部は、前記リモコン端末から通知された通信経路を用いて前記リモコン端末との間で各種情報の通信を行うよう前記装置側通信部を制御すること
を特徴とするカラオケ装置。
【請求項６】
ユーザからの要求を受けて予約した楽曲を順次演奏するカラオケ装置と前記カラオケ装置に対する楽曲の予約をリクエストするための操作を実施可能なリモコン端末とを備え、前記カラオケ装置と前記リモコン端末とが通信可能に接続され、前記カラオケ装置が、前記リモコン端末との間で各種情報を送受信する装置側通信部と、前記装置側通信部を制御して前記リモコン端末との間で各種情報を送受信させる装置側通信制御部と、を備え、前記装置側通信部は、前記リモコン端末との間で各種情報を送受信するための通信経路が一種類以上予め搭載され、これら一種類以上の通信経路のうちの一つが前記リモコン端末との間での各種情報の送受信に用いられる通信経路として初期設定され、さらに、異なる種類の通信経路を追加可能となっており、新たな通信経路が追加された場合にはその追加された通信経路が前記リモコン端末との間での各種情報の送受信に用いられる通信経路として設定され、前記装置側通信制御部は、前記装置側通信部に新たな通信経路が追加されたか否かを判断し、前記装置側通信部に新たな通信経路が追加された場合には、その追加された通信経路を用いて前記リモコン端末との間で各種情報の通信を行うよう前記装置側通信部を制御するとともに、新たな通信経路が追加された旨を前記リモコン端末に通知するカラオケシステムに用いられる前記リモコン端末であって、
前記カラオケ装置の前記装置側通信部に予め搭載される通信経路を含む複数種類の通信経路が予め搭載され、これら複数種類の通信経路のうちの一つが前記カラオケ装置との間での各種情報の送受信に用いられる通信経路として設定され、設定される通信経路を用いて前記カラオケ装置との間で各種情報を送受信する端末側通信部と、
前記端末側通信部が前記カラオケ装置との各種情報の送受信に用いる通信経路の優先順位を示し、初期状態では前記装置側通信部に初期設定される種類の通信経路が最も優先順位が高い通信経路として登録される優先順位リストを記憶するリスト記憶部と、
前記リスト記憶部が記憶する前記優先順位リストに登録される通信経路のうち最も優先順位が高い通信経路を前記優先順位リストが編集される度に選択し、前記端末側通信部を制御して、その選択された通信経路を用いて前記リモコン端末との間で各種情報を送受信させる端末側通信制御部と、
前記端末側通信部と前記カラオケ装置との間で各種情報を送受信する際に通信障害が発生しているか否かを判断する通信障害判断部と、
前記カラオケ装置からの新たな通信経路が追加された旨の通知を前記端末側通信部が受信した場合には、その新たに追加された通信経路を前記リスト記憶部が記憶する前記優先順位リストに最も優先順位が高い通信経路として登録するとともに、前記通信障害が発生していると前記通信障害判断部によって判断された場合には、前記通信障害が発生している通信経路を前記リスト記憶部が記憶する前記優先順位リストの最も優先順位が高い通信経路から除外するリスト編集部と、を備え、
前記端末側通信制御部は、前記リスト記憶部が記憶する前記優先順位リストに登録される通信経路のうち最も優先順位が高い通信経路が更新された場合には、その旨を前記端末側通信部を制御して前記カラオケ装置に通知すること
を特徴とするリモコン端末。
【発明の詳細な説明】
【技術分野】
【０００１】
本発明は、カラオケ装置とリモコン端末との間での無線ＬＡＮ通信に通信障害が発生した際にその通信障害を解消する技術に関する。
【背景技術】
【０００２】
従来より、ユーザからの要求を受けて予約した楽曲を順次演奏するカラオケ装置と、カラオケ装置に対する楽曲の予約をリクエストするための操作を実施可能なリモコン端末とが、通信可能に接続されるカラオケシステムが知られている。
【０００３】
この種のカラオケシステムにおいて、無線ＬＡＮでの通信を行うための接続情報を赤外線通信を用いてリモコン端末からカラオケ装置へ送信し、カラオケ装置では接続情報を用いて設定内容を変更して、カラオケ装置の通信経路とリモコン端末の通信経路とを一致させてから、カラオケ装置とリモコン端末との間での無線ＬＡＮ通信を開始する（例えば特許文献１参照）。
【先行技術文献】
【特許文献】
【０００４】
【特許文献１】特開２００６−７８７５９号公報（第８，９頁、図６，７）
【発明の概要】
【発明が解決しようとする課題】
【０００５】
しかし、上述のようなカラオケシステムにおいては、次のような問題があった。すなわち、上述のようにカラオケ装置とリモコン端末との間での無線ＬＡＮ通信が開始された後に通信障害が発生することがある。このような事態に対処するためには、カラオケ装置およびリモコン端末の双方に多種類の通信経路を予め搭載しておき、通信障害が発生した際には、通信障害が発生した通信経路から他の通信経路へ切り替えることで通信障害を解消することが望ましい。
【０００６】
なお、カラオケ装置においては、初期状態では一種類の通信経路のみが搭載され、通信障害発生時などに他の種類の通信経路を追加搭載する場合が多い。なお、リモコン端末においては、同一のカラオケ装置との間で常に通信を行うとは限らないため、多種類の通信経路を予め搭載しておくことが一般的である。そして、他の種類の通信経路を追加搭載した場合には、カラオケ装置側の通信経路とリモコン端末側の通信経路とが相違するため、リモコン端末側の通信経路をカラオケ装置側の通信経路に応じて変更する必要がある。
【０００７】
本発明は、このような課題に鑑みなされたものであり、その目的とするところは、カラオケ装置とリモコン端末との間での無線ＬＡＮ通信に通信障害が発生した際にその通信障害を解消する技術を提供することにある。
【課題を解決するための手段】
【０００８】
上記課題を解決するためになされた請求項１に係るカラオケシステムは、ユーザからの要求を受けて予約した楽曲を順次演奏するカラオケ装置とカラオケ装置に対する楽曲の予約をリクエストするための操作を実施可能なリモコン端末とを備え、カラオケ装置とリモコン端末とが通信可能に接続される。
【０００９】
カラオケ装置は、リモコン端末との間で各種情報を送受信する装置側通信部と、装置側通信部を制御してリモコン端末との間で各種情報を送受信させる装置側通信制御部と、を備える。
【００１０】
このうちの装置側通信部は、リモコン端末との間で各種情報を送受信するための通信経路が一種類以上予め搭載され、これら一種類以上の通信経路のうちの一つがリモコン端末との間での各種情報の送受信に用いられる通信経路として初期設定され、さらに、異なる種類の通信経路を追加可能となっており、新たな通信経路が追加された場合にはその追加された通信経路がリモコン端末との間での各種情報の送受信に用いられる通信経路として設定される。
【００１１】
また、装置側通信制御部は、装置側通信部に新たな通信経路が追加されたか否かを判断し、装置側通信部に新たな通信経路が追加された場合には、その追加された通信経路を用いてリモコン端末との間で各種情報の通信を行うよう装置側通信部を制御するとともに、新たな通信経路が追加された旨をリモコン端末に通知する。
【００１２】
一方、リモコン端末は、端末側通信部と、リスト記憶部と、端末側通信制御部と、通信障害判断部と、リスト編集部と、を備える。
このうちの端末側通信部は、カラオケ装置の装置側通信部に予め搭載される通信経路を含む複数種類の通信経路が予め搭載され、これら複数種類の通信経路のうちの一つがカラオケ装置との間での各種情報の送受信に用いられる通信経路として設定され、設定される通信経路を用いてカラオケ装置との間で各種情報を送受信する。
【００１３】
また、リスト記憶部は、優先順位リストを記憶する。優先順位リストは、端末側通信部がカラオケ装置との各種情報の送受信に用いる通信経路の優先順位を示し、初期状態では装置側通信部に初期設定される種類の通信経路が最も優先順位が高い通信経路として登録される。
【００１４】
また、端末側通信制御部は、リスト記憶部が記憶する優先順位リストに登録される通信経路のうち最も優先順位が高い通信経路を優先順位リストが編集される度に選択し、端末側通信部を制御して、その選択された通信経路を用いてリモコン端末との間で各種情報を送受信させる。
【００１５】
また、通信障害判断部は、端末側通信部とカラオケ装置との間で各種情報を送受信する際に通信障害が発生しているか否かを判断する。
また、リスト編集部は、カラオケ装置からの新たな通信経路が追加された旨の通知を端末側通信部が受信した場合には、その新たに追加された通信経路をリスト記憶部が記憶する優先順位リストに最も優先順位が高い通信経路として登録する。また、リスト編集部は、通信障害が発生していると通信障害判断部によって判断された場合には、通信障害が発生している通信経路をリスト記憶部が記憶する優先順位リストの最も優先順位が高い通信経路から除外する。
【００１６】
一例を挙げると、上述のように通信障害が発生していると通信障害判断部によって判断された場合には、リスト編集部が、リスト記憶部が記憶する優先順位リストに最も優先順位が高い通信経路として登録される、通信障害が発生している通信経路に代わり、通信障害が発生している通信経路の次に優先順位が高い通信経路を、最も優先順位が高い通信経路として登録するといった具合である（請求項２）。
【００１７】
また、上述のように通信障害が発生していると通信障害判断部によって判断された場合には、リスト編集部が、通信障害が発生している通信経路をリスト記憶部が記憶する優先順位リストの最も優先順位が高い通信経路から削除するといった具合である（請求項３）。
【００１８】
そして、端末側通信制御部は、リスト記憶部が記憶する優先順位リストに登録される通信経路のうち最も優先順位が高い通信経路が更新された場合には、その旨を端末側通信部を制御して前記カラオケ装置に通知し、カラオケ装置の装置側通信制御部は、リモコン端末から通知された通信経路を用いて前記リモコン端末との間で各種情報の通信を行うよう前記装置側通信部を制御する。
【００１９】
なお、リスト記憶部が記憶する優先順位リストに初期設定される通信経路が最も優先順位が高い通信経路として登録された場合には、リセット実行手段がシステムリセットを実行するようにするとよい（請求項４）。
【００２０】
このように構成された本発明のカラオケシステムによれば、カラオケ装置とリモコン端末との間での無線ＬＡＮ通信に通信障害が発生した際にその通信障害を解消することができる。
【００２１】
なお、本発明は請求項１に係るカラオケシステムに用いられるカラオケ装置（請求項５）およびリモコン端末（請求項６）としても実現可能である。
【図面の簡単な説明】
【００２２】
【図１】カラオケネットワークシステム１の全体構成を示すブロック図である。
【図２】（ａ）は接続状態確立処理の説明図であり、（ｂ）は優先順位リストを示す説明図である。
【図３】（ａ）はカラオケ装置１０による接続状態確立処理を示すフローチャートであり、（ｂ）はリモコン端末２０による接続状態確立処理を示すフローチャートである。
【発明を実施するための形態】
【００２３】
以下に本発明の実施形態を図面とともに説明する。なお、本発明はこの実施形態に限定されるものではなく、様々な態様にて実施することが可能である。
［１．カラオケネットワークシステム１の構成の説明］
図１に示すように、カラオケシステムとしてのカラオケネットワークシステム１は、ユーザからの要求を受けて予約した楽曲を順次演奏するカラオケ装置１０とカラオケ装置１０に対する楽曲の予約をリクエストするための操作を実施可能なリモコン端末２０とが、双方向通信としての無線ＬＡＮおよび片方向通信としての赤外線通信によって通信可能に接続される。なお、図１ではカラオケ装置１０およびリモコン端末２０がそれぞれ一つずつ図示されている。
【００２４】
ここで、双方向通信とは、カラオケ装置１０とリモコン端末２０との間で同一設定に基づいて相互に通信を行うための通信方法を云う。なお、ＬＡＮは有線方式であっても無線方式であってもよい。また、片方向通信とは、双方向通信とは異なりリモコン端末２０からカラオケ装置１０に対する方向のみで通信を行うための通信方法を云う。
【００２５】
そして、後述する接続状態確立処理（図３参照）を実行することによって、カラオケ装置１０とリモコン端末２０との間でデータの送受信を行う際に用いる通信経路を選択して、その選択された通信経路を用いた接続状態を確立するようになっている。
【００２６】
なお、通信経路に個数制限はないが、本実施形態では、通信経路１が赤外線通信と無線ＬＡＮ通信とを併用した通信経路であり、通信経路２が無線ＬＡＮ通信のインフラストラクチャモードを用いた通信経路であり、通信経路３が無線ＬＡＮ通信のアドホックモードを用いた通信経路となっている。なお、通信経路１については、リセット機能も備えている。
【００２７】
なお、カラオケ装置１０には、通信経路１のみが予め搭載されており、通信経路２〜Ｎについては追加搭載可能となっている。また、リモコン端末２０には、多数の通信経路１〜Ｎが予め搭載されている。
【００２８】
また、カラオケ装置１０は、センター（ホストサーバ）３０とインターネットを介して通信可能に接続されている。なお、センター３０は、周知のコンピュータシステムからなり、インターネットを介した通信を制御する通信部３１，各種情報を記憶するＨＤＤ３２，サーバ全体を制御する制御部３３などを備える。このセンター３０は、カラオケ装置１０に対してカラオケ楽曲を提供する機能を有する。
【００２９】
［１．１．カラオケ装置１０の構成の説明］
カラオケ装置１０は、各種映像の表示を行う表示部１１，装置全体を制御する制御部１２，楽曲データの再生（カラオケ演奏）を行う楽曲再生部１３，複数のキー・スイッチなどからなる操作部１４，インターネットやＬＡＮを介した通信を制御するとともに赤外線信号を受信する通信部１５，演奏楽曲の伴奏内容および歌詞を示す楽曲データ（カラオケ楽曲データ）などを記憶するＨＤＤ１６などを備える。このカラオケ装置１０は、カラオケ楽曲を再生する機能を有する。
【００３０】
表示部１１は図示しないＴＶなどを有し、歌詞テロップや背景画像を表示可能である。
楽曲再生部１３は、図示しないマイクやＭＩＤＩ再生部、アンプ、スピーカを含み、楽曲データをカラオケ演奏するとともにマイクから入力された歌唱音声を出力する。
【００３１】
通信部１５には、リモコン端末２０との間で各種情報を送受信するための通信経路が予め搭載されている。なお、本実施形態では、通信部１５には一種類の通信経路（通信経路１）が搭載され、リモコン端末２０との間での各種情報の送受信に用いられる通信経路として初期設定されている。さらに、通信部１５には、異なる種類の通信経路（通信経路２〜Ｎ）を追加可能となっており、新たな通信経路が追加された場合にはその追加された通信経路がリモコン端末２０との間での各種情報の送受信に用いられる通信経路として設定される。
【００３２】
制御部１２はＣＰＵやＲＯＭ、ＲＡＭなどから構成される。この制御部１２は、当該カラオケ装置１０とリモコン端末２０との間で双方向通信するときは、お互いを識別しつつ各種設定を規定するために、例えばＩＥＥＥ８０２．１１規格のＥＳＳ−ＩＤ（Extended Service Set Identifier）を用いる。また、制御部１２は、通信部１５に新たな通信経路が追加されたか否かを判断し、通信部１５に新たな通信経路が追加された場合には、その追加された通信経路を用いてリモコン端末２０との間で各種情報の通信を行うよう通信部１５を制御するとともに、新たな通信経路が追加された旨をリモコン端末２０に通知する。
【００３３】
なお、通信部１５が装置側通信部に該当する。また、制御部１２が装置側通信制御部に該当する。
［１．２．リモコン端末２０の構成の説明］
リモコン端末２０は、各種情報の表示を行う表示部２１，装置全体を制御する制御部２２，複数のキー・スイッチなどからなる操作部２３，インターネットを介した通信を制御するとともに赤外線信号を送信する通信部２４，各種情報を記憶する不揮発性メモリ２５などを備え、情報表示機能およびユーザが入力操作する入力機能を有する。なお、不揮発性メモリ２５には楽曲データベースなどが記録されている。
【００３４】
通信部２４は、カラオケ装置１０の通信部１５に予め搭載される通信経路（通信経路１）を含む複数種類の通信経路（通信経路１〜Ｎ）が予め搭載されている。これは、リモコン端末２０においては、同一のカラオケ装置１０との間で常に通信を行うとは限らないため、多種類の通信経路を予め搭載しておくことが望ましいからである。そして、通信部２４では、これら複数種類の通信経路のうちの一つがカラオケ装置１０との間での各種情報の送受信に用いられる通信経路として設定され、設定される通信経路を用いてカラオケ装置１０との間で各種情報を送受信する。
【００３５】
不揮発性メモリ２５には、図２（ｂ）に例示するような優先順位リストが記憶されている。この優先順位リストは、通信部２４がカラオケ装置１０との各種情報の送受信に用いる通信経路の優先順位を示し、初期状態ではカラオケ装置１０の通信部１５に初期設定される通信経路１が最も優先順位が高い通信経路として登録される。
【００３６】
制御部２２は、不揮発性メモリ２５が記憶する優先順位リストに登録される通信経路のうち最も優先順位が高い通信経路を優先順位リストが編集される度に選択し、通信部２４を制御して、その選択された通信経路を用いてリモコン端末２０との間で各種情報を送受信させる。なお、制御部２２は優先順位リストを編集する機能も有する（後述）。
【００３７】
また、制御部２２は、通信部２４とカラオケ装置１０の通信部１５との間で各種情報を送受信する際に通信障害が発生しているか否かを判断する機能を有する。
なお、通信部２４が端末側通信部およびリセット実行手段に該当する。また、不揮発性メモリ２５がリスト記憶部に該当する。また、制御部２２が端末側通信制御部、通信障害判断部およびリスト編集部に該当する。
【００３８】
［３．接続状態確立処理の説明］
次に、カラオケネットワークシステム１が実行する接続状態確立処理を、図２および図３を参照して説明する。なお、図２（ａ）は接続状態確立処理の説明図であり、図２（ｂ）は優先順位リストを示す説明図である。
【００３９】
この接続状態確立処理は、カラオケ装置１０による接続状態確立処理（図３（ａ）参照）とリモコン端末２０による接続状態確立処理（図３（ｂ）参照）とからなる。以下、順に説明する。
【００４０】
［３．１．カラオケ装置１０による接続状態確立処理の説明］
まず、図３（ｂ）に示すカラオケ装置１０による接続状態確立処理を説明する。
本処理は、カラオケ装置１０の電源がオンである場合に繰り返し実行される。
【００４１】
最初のステップ１１０（Ｓ１１０）では、カラオケ装置１０に新たな通信経路が追加されたか否かを判断する。
新たな通信経路が追加されていないと判断された場合には（Ｓ１１０：ＮＯ）、新たな通信経路が追加されたと判断されるまで本ステップを繰り返し実行して待機する。
【００４２】
一方、新たな通信経路が追加されたと判断された場合には（Ｓ１１０：ＹＥＳ）、Ｓ１２０に移行する。
Ｓ１２０では、新たな通信経路に切り換える。
【００４３】
続くＳ１３０では、新たな通信経路に切り換えた旨の通知（通信経路切換通知）をリモコン端末２０に通知する。
そして、本処理を終了する。
【００４４】
［３．２．リモコン端末２０による接続状態確立処理の説明］
次に、図３（ｂ）に示すリモコン端末２０による接続状態確立処理を説明する。
本処理は、リモコン端末２０の電源がオンである場合に繰り返し実行される。
【００４５】
最初のステップ２０５（Ｓ２０５）では、通信経路１を用いてカラオケ装置１０との通信を開始する。
続くＳ２１０では、優先順位リストの優先順位１位に通信経路１を追加する。なお、この段階では、カラオケ装置１０に搭載されている通信経路が通信経路１のみであり、Ｎの値は数値「１」となっている。
【００４６】
続くＳ２１５では、カラオケ装置１０から通信経路に切り換えた旨の通知（通信経路切換通知）を受信したか否かを判断する。
通信経路切換通知を受信していないと判断された場合には（Ｓ２１５：ＮＯ）、カラオケ装置１０において新たな通信経路が追加されて通信経路が変更された事実はないと判断し、そのままＳ２２５に移行する。
【００４７】
一方、通信経路切換通知を受信したと判断された場合には（Ｓ２１５：ＮＯ）、カラオケ装置１０において新たな通信経路が追加されて通信経路が変更された事実があると判断し、Ｓ２２０に移行する。
【００４８】
Ｓ２２０では、カラオケ装置１０に追加された通信経路に切換えるとともに、その新たな通信経路（ここでは通信経路２）を優先順位リスト１位に登録して、他に登録される通信経路の優先順位を繰り下げる。そして、Ｓ２２５に移行する。
【００４９】
Ｓ２２５では、カラオケ装置１０とリモコン端末２０との間の通信に通信障害が発生したか否かを判断する。
通信障害が発生していないと判断された場合には（Ｓ２２５：ＮＯ）、優先順位が１位である通信経路を用いてカラオケ装置１０とリモコン端末２０との間の通信を続行して問題ないと判断し、後述するＳ２５５に移行する。
【００５０】
一方、通信障害が発生していると判断された場合には（Ｓ２２５：ＹＥＳ）、優先順位が１位である通信経路を用いてカラオケ装置１０とリモコン端末２０との間の通信を続行することに問題があると判断し、Ｓ２３０に移行する。
【００５１】
Ｓ２３０では、直近の通信経路（つまり、優先順位２位の通信経路）が通信経路１以外であるか否かを判断する。
直近の通信経路が通信経路１以外ではない（つまり、通信経路１）と判断された場合には（Ｓ２３０：ＮＯ）、システムリセットをかけて通信障害を解消するため、Ｓ２３５に移行する。
【００５２】
Ｓ２３５では、通信経路を通信経路１に切り換えてリセットをかける。
続くＳ２４０では、通信障害が起きた通信経路を優先順位リスト１位から削除して、他に登録される通信経路の優先順位を繰り上げる。そして、カラオケ装置１０からの通信経路切換通知を受信したか否かを判断するため、Ｓ２１５に戻る。
【００５３】
一方、直近の通信経路が通信経路１以外であると判断された場合には（Ｓ２３０：ＹＥＳ）、リセットをかけずに、他の通信経路に切り換えて通信障害を解消するため、Ｓ２４５に移行する。
【００５４】
Ｓ２４５では、直近の通信経路（つまり、優先順位２位の通信経路）に切り換えるとともに、その直近の通信経路を優先順位リスト１位に登録する。なお、通信障害が起きた通信経路を優先順位リストから削除する（Ｓ２５０）。そして、Ｓ２５５に移行する。
【００５５】
Ｓ２５５では、リモコン端末２０の電源がオフであるか否かを判断する。
リモコン端末２０の電源がオフではなくオンであると判断された場合には（Ｓ２５５：ＮＯ）、カラオケ装置１０からの通信経路切換通知を受信したか否かを判断するため、Ｓ２１５に戻る。
【００５６】
一方、リモコン端末２０の電源がオフであると判断された場合には（Ｓ２５５：ＹＥＳ）、本処理を終了する。
［４．実施形態の効果］
このように本実施形態のカラオケネットワークシステム１によれば、カラオケ装置１０とリモコン端末２０との間での無線ＬＡＮ通信に通信障害が発生した際にその通信障害を解消することができる。
【符号の説明】
【００５７】
１…カラオケネットワークシステム、１０…カラオケ装置、１１…表示部、１２…制御部、１３…楽曲再生部、１４…操作部、１５…通信部、１６…ＨＤＤ、２０…リモコン端末、２１…表示部、２２…制御部、２３…操作部、２４…通信部、２５…不揮発性メモリ、３０…センター、３１…通信部、３２…ＨＤＤ、３３…制御部
【図１】
0005212435.tif 000002
【図２】
0005212435.tif 000003
【図３】
0005212435.tif 000004